(57)【要約】ＴＶ放送、移動通信端末機または映像蓄積媒体の映像に広告を混合して表示する広告方法を開示する。有線／無線のＴＶ放送、移動通信端末機及び映像蓄積媒体の映像を生成する。ＴＶ放送、移動通信端末機及び映像蓄積媒体の映像に、映像の一部として混合する文字および／またはイメージ広告を生成する。ＴＶ放送、移動通信端末機及び映像蓄積媒体の映像の一つとして選択された特定の映像に、前記文字および／またはイメージ広告を部分的に混合する。文字および／またはイメージ広告を部分的に混合した映像を管理者用出力映像モニターに表示する。
2004507173.tif 000002
【特許請求の範囲】
【請求項１】
有線／無線のＴＶ放送、移動通信端末機及び映像蓄積媒体に係る映像を生成するステップと、
ＴＶ放送、移動通信端末機及び映像蓄積媒体に係る映像に、該映像の一部として混合される文字および／またはイメージ広告を生成するステップと、
ＴＶ放送、移動通信端末機及び映像蓄積媒体に係る映像の一つとして選択された特定の映像に、該文字および／またはイメージ広告を部分的に混合するステップと、
そして、該文字および／またはイメージ広告が部分的に混合された映像を管理者用出力映像モニターに表示するステップ、広告が混合された該映像を別途の映像送信器を介して有線／無線方法で送信することにより、広告が混合された該映像をＴＶモニターや移動通信端末機の液晶表示（ＬＣＤ）板に表示可能とし、広告を映像とともに、リアルタイムでＴＶ視聴者や移動通信端末機ユーザーに伝達することを可能とするステップ、あるいは、広告が混合された該映像をビデオ録画器に送信し、配給用の映像蓄積媒体に広告を混合した映像を記録し、映像蓄積媒体のユーザーが、該映像蓄積媒体に記録された映像を再生する際に、ＴＶモニターに前記文字および／またはイメージ広告を部分的に混合した映像を表示し、広告を映像とともにユーザーに提供するステップとを有することを特徴とするＴＶ放送、移動通信端末または映像蓄積媒体に係る映像に混合した広告を表示する広告方法。
【請求項２】
前記文字および／またはイメージ広告を生成するスッテップは、
ＴＶ放送、移動通信端末機及び映像蓄積媒体に係る映像を実際に表示するＴＶモニターと移動通信端末機の液晶表示板の解像度に応じて全体表示画面のＸ−Ｙ座標系を設定するステップと、
ＴＶ放送、移動通信端末機及び映像蓄積媒体に係る映像に、映像の一部として混合される文字および／またはイメージ広告を編集し、編集結果を記憶するステップとを有することを特徴とする請求項１に記載の広告方法。
【請求項３】
前記文字および／またはイメージ広告を混合するステップは、
広告を表示すべきか否かを決定し、広告を混合する特定の映像を選択するステップと、
該広告の大きさに対応する初期表示座標を指示するステップと、
そして、選択された映像に広告を混合するために、選択された特定の映像に混合される広告の移動方向、移動間隔、一時停止時間及び移動制限座標を指示するステップとを有することを特徴とする請求項１に記載の広告方法。
【請求項４】
選択された特定の映像に混合される広告の移動方向は、全体画面のＸ−Ｙ座標系に対して、左側上端から右側上端の方向、右側上端から左側上端の方向、右側上端から右側下端の方向、右側下端から左側上端の方向、右側下端から左側下端の方向、左側下端から右側下端の方向、左側下端から右側上端の方向及び右側上端から左側下端の方向の中から選択的に指定されることを特徴とする請求項３記載の広告方法。
【請求項５】
移動方向を指定された広告の移動間隔と移動制限座標は、広告の大きさによる初期表示座標に応じて、全体画面のＸ−Ｙ座標系のＸまたはＹ座標値で指定されることを特徴とする請求項４に記載の広告方法。
【請求項６】
広告を混合した映像を、管理者用出力映像モニターや、ユーザーに広告を混合した映像を提供するＴＶモニターや移動通信端末機の液晶表示モニターに表示するステップは、
初期表示座標に映像に混合した広告を表示するステップと、
該広告に関して設定された一時停止時間中に、表示された広告を停止させるステップと、
そして、該一時停止時間が経過した後、表示された広告が指定された移動制限座標に到達するまで、該広告の指定された方向に、予め設定された移動間隔で、表示された広告を移動する操作を繰り返し実行し、該表示された広告が該移動制限座標に到達した場合に、広告を混合するステップにおける広告を表示すべきか否かを決定するステップに戻るステップとを有することを特徴とする請求項１に記載の広告方法。
【発明の詳細な説明】
【０００１】
（技術分野）
この発明は、広告方法に係り、より詳しくは、ＴＶ放送や移動通信端末機及び映像蓄積媒体に係る映像に混合された広告を表示する広告方法に関するものである。
【０００２】
（背景技術）
一般に、インタ−ネットや無線データ通信網及び衛星通信網を利用する各種の有線／無線ＴＶ放送と、インターネット・モバイル・テレコミュニケーション（ＩＭＴ）２０００のような個人用移動通信網、及び映画フィルム、ビデオテープ、コンパクト・ディスク（ＣＤ）、デジタル・バーサタイル・ディスク（ＤＶＤ）、ビデオ・オン・デマンド（ＶＯＤ）のような配給用の映像蓄積媒体を利用して広告する方法としては、正規放送中のＴＶ映像（番組）や移動通信網に接続された移動通信端末機の液晶表示（ＬＣＤ）板に表示される映像、あるいはビデオテ−プの再生時に表示される映像を一時的に中止させた状態で、別途に制作された広告映像を一定期間中、ＴＶモニターや液晶表示（ＬＣＤ）板に表示するようになっている。
【０００３】
ところで、上記のごとく、正規映像を一時的に中断させた状態で広告映像を別途に表示する従来の広告方法は、広告映像を表示するための広告時間が短い期間に制限されるため、広告主が期待する広告効果を十分、かつ持続的に引き出すことができないという不都合がある。
【０００４】
（発明の開示）
そこで、この発明は、従来技術に伴う上記問題点を解決するためになされたものであり、この発明の目的は、ＴＶ放送、移動通信端末機または映像蓄積媒体の映像に混合された広告を表示する広告方法を提供することであり、出力映像モニター、ＴＶモニターまたは移動通信端末機の液晶表示板に、文字および／またはイメ−ジ広告を部分的に混合した映像を表示し、広告を映像とともに、中断することなしにユ−ザ−に伝達することを可能とするものである。
【０００５】
上記目的を達成するために、この発明では、ＴＶ放送、移動通信端末または映像蓄積媒体に係る映像に混合した広告を表示する広告方法を提供し、以下のステップを有する。
有線／無線のＴＶ放送、移動通信端末機及び映像蓄積媒体に係る映像を生成するステップと、ＴＶ放送、移動通信端末機及び映像蓄積媒体に係る映像に、該映像の一部として混合される文字および／またはイメージ広告を生成するステップと、ＴＶ放送、移動通信端末機及び映像蓄積媒体に係る映像の一つとして選択された特定の映像に、該文字および／またはイメージ広告を部分的に混合するステップと、そして、該文字および／またはイメージ広告が部分的に混合された映像を管理者用出力映像モニターに表示するステップ、広告が混合された該映像を別途の映像送信器を介して有線／無線方法で送信することにより、広告が混合された該映像をＴＶモニターや移動通信端末機の液晶表示（ＬＣＤ）板に表示可能とし、広告を映像とともに、リアルタイムでＴＶ視聴者や移動通信端末機ユーザーに伝達することを可能とするステップ、あるいは、広告が混合された該映像をビデオ録画器に送信し、配給用の映像蓄積媒体に広告を混合した映像を記録し、映像蓄積媒体のユーザーが、該映像蓄積媒体に記録された映像を再生する際に、ＴＶモニターに前記文字および／またはイメージ広告を部分的に混合した映像を表示し、広告を映像とともにユーザーに提供するステップとを有する。
【０００６】
（発明を実施するための最良の形態）
図１は、この発明による広告方法を具体化するためのシステムであり、ビデオ録画再生器１０、ＣＤ録画再生器１１及び放送映像制作カメラ１２の各々は、有線／無線ＴＶ放送、移動通信端末機及び映像蓄積媒体に対する映像（以下、正規映像という）を生成するために、ビデオ信号を出力する。
【０００７】
映像信号入力装置２０は、前記ビデオ信号をコンポジット・ビデオ信号、あるいはＳ−ビデオ信号に変換して、実際に必要な正規映像を生成する。
【０００８】
中央制御装置（ＣＰＵ）３０は、前記正規映像が実際に表示される表示装置の解像度に応じて、全体表示画面のＸ−Ｙ座標系を設定する。
【０００９】
ＣＰＵ３０は、管理者がキーボード４１、マウス４２及びスキャナ４３などの入力装置４０を操作して生成した、文字および／またはイメージ広告編集要求信号や編集信号が入力されると、記憶装置５０に予め蓄積されている広告編集用プログラムを実行し、ビデオ・グラフィック・アダプタ（ＶＧＡ）６０に接続されたモニター７０上に、広告編集画面を表示する。さらに、ＣＰＵ３０は、管理者によって編集完了した文字および／またはイメージ広告を、前記記憶装置５０に蓄積する。
【００１０】
映像信号混合装置８０は、前記ＣＰＵ３０の制御によって広告表示命令が印加されると、前記映像信号入力装置２０を通して入力される正規映像の一部に、前記記憶装置５０とビデオ・グラフィック・アダプタ６０とを経由して入力される文字および／またはイメ−ジ広告を混合する。
【００１１】
この場合、前記ＣＰＵ３０は、前記Ｘ−Ｙ座標系を基に、文字および／またはイメ−ジ広告の大きさに対応した初期表示座標を指定し、さらに、広告が混合される正規映像上に表示される各広告の移動方向、移動間隔、移動中一時停止時間、移動制限座標を指定する。
【００１２】
広告混合映像出力装置９０は、前記文字および／またはイメ−ジ広告が部分的に混合された正規映像を、管理者用出力映像モニター１００に表示し、管理者が映像出力状態を確認できるようにする。また、映像送信器１０２を介して有線／無線方法により、広告を混合した正規映像を送信し、ＴＶモニター（図示せず）や移動通信端末機の液晶表示板（図示せず）に、広告を混合した該正規映像を表示することが可能になり、ＴＶ視聴者や移動通信端末機のユーザーに、リアルタイムで、正規映像とともに広告を伝達することができる。
【００１３】
前記広告混合映像出力装置９０は、広告を混合した正規映像を、ビデオ録画器１０１に送信し、配給用の映像蓄積媒体に、広告を混合した該正規映像を記録させる。
【００１４】
配給用の映像蓄積媒体に蓄積された広告混合正規映像は、ユーザーが配給用の映像蓄積媒体に蓄積された映像を再生する際に、再生映像の一部として混合された前記文字および／またはイメ−ジ広告とともに、ユーザーのＴＶモニター（図示せず）に表示される。この場合に、正規映像とともに広告を、ユーザーに連続的に提供することが可能となる。
【００１５】
この広告方法を実施するために上記構成を有するシステムは、図２から５に示す広告方法に従い、ＴＶ放送、移動通信端末機または映像蓄積媒体の映像に広告を混合し、広告混合映像を表示させる。
【００１６】
まず、管理者は、ビデオ録画再生器１０、ＣＤ録画再生器１１及び放送映像制作カメラ１２を利用して、正規映像、つまり、有線／無線ＴＶ放送、移動通信端末機及び映像蓄積媒体の映像を生成するため、ビデオ信号を生成し、該ビデオ信号は映像信号入力装置２０によってコンポジット・ビデオ信号あるいはＳ−ビデオ信号に変換される。これにより、ステップＳ１０において、実際に必要な正規映像として、ビデオ信号が生成される。
【００１７】
上記のように、ＴＶ放送、移動通信端末および配給用の映像蓄積媒体の映像に区分された正規映像が生成されると、管理者は、ステップＳ２０において、該正規映像の一部として混合し表示される、文字および／またはイメージ広告を生成する。
【００１８】
ステップＳ２０においては、ステップＳ２１で、前記ＣＰＵ３０は、まず、正規映像が実際に表示される装置、例えば、ＴＶモニターや移動通信端末機の液晶表示板の解像度に応じて、全体表示画面のＸ−Ｙ座標系を設定する。
【００１９】
もし、表示画面の解像度が７２０×４８０であれば、前記Ｘ−Ｙ座標系のＸ座標値は０≦Ｘ≦７１９に設定され、Ｙ座標値は０≦Ｙ≦７１９に設定される。
【００２０】
次に、ＣＰＵ３０は、管理者がキーボード４１、マウス４２及びスキャナ４３などの入力装置４０を操作して生成した、文字および／またはイメージ広告編集要求信号と編集信号の両方が入力されると、記憶装置５０に予め蓄積されている広告編集用プログラムを実行し、ビデオ・グラフィック・アダプタ６０に接続されたモニター７０上に、広告編集画面を表示し、管理者が、文字および／またはイメージ広告の編集作業を行えるようにする。ステップＳ２３では、この際に、管理者によって編集完了した文字および／またはイメージ広告を記憶装置５０に蓄積する。
【００２１】
ステップＳ３０では、上述したように、正規映像と文字および／またはイメージ広告の両方が生成されると、管理者の要求に応じて、ＣＰＵ３０は、映像信号混合装置８０を制御して、ＴＶ放送、移動通信端末機および配給用の映像蓄積媒体の正規映像の一つとして選択された特定の映像に、文字および／またはイメージ広告を、該特定の映像の一部として混合する。
【００２２】
ステップＳ３０においては、ステップＳ３１で、ＣＰＵ３０は、管理者の要求に応じて、広告表示命令が印加されたか否かを判別する。もし、広告表示命令が印加された場合には、ステップＳ３３で、ＣＰＵ３０は、管理者によって編集完了された文字および／またはイメージ広告の初期表示座標を、前記Ｘ−Ｙ座標系を基に、各広告の大きさに応じて指定する。
【００２３】
この場合、文字の公知の最小サイズは、８×８画素単位であるため、前記Ｘ−Ｙ座標系に基づく文字広告の大きさに応じて指定される、特定の文字広告の初期表示座標は、前記Ｘ−Ｙ座標系の行と列の値を持つ文字座標、つまり、（行，列）形式で、指定される。ここで、行の値はＹ座標値、列の値はＸ座標値である。
【００２４】
例えば、総９個の文字で構成された文字広告「ＣＯＣＡ＿ＣＯＬＡ」は、８×７２画素の大きさを有する。そして、もし、初期表示座標を（７，７１）で指定すると、文字広告「ＣＯＣＡ＿ＣＯＬＡ」は、正規映像が表示される画面の左側上端に、１行から８行までの８の行の高さと、１列から７２列までの７２の列の長さを有して表示される。
【００２５】
一方で、前記イメージ広告の大きさに応じて指定される初期表示座標は、前記Ｘ−Ｙ座標系の行と列のイメージ座標、つまり、（行，列，行，列）形式で指定される。ここで、行の値はＹ座標値、列の値はＸ座標値である。さらに、イメージ座標の前半部の行と列の値は、イメージ広告の高さと長さに関係する開始座標を表わし、その後半部の行と列の値は、イメージ広告の高さと長さに関係する終了座標を表わす。
【００２６】
例えば、５×３０画素の大きさを有する特定のイメージ広告の初期表示座標が（１，１，５，３０）に指定すると、イメージ広告は、正規映像が表示される画面の左側上端に、２行から６行までの５の行の高さと、２列から３１列までの３０の列の長さを有するイメージ広告として表示される。
【００２７】
次に、文字および／またはイメージ広告の初期表示座標が指定されると、ステップＳ３５において、ＣＰＵ３０は、ＴＶ放送、移動通信端末機および配給用の映像蓄積媒体の正規映像の中から、特定の正規映像を選択する。そして、ステップＳ３７において、ＣＰＵ３０は、広告が混合される特定の正規映像上に表示される広告に関する、移動方向、移動間隔、移動中一時停止時間、移動制限座標を指定する。そして、広告表示命令が印加されると、前記映像信号混合装置８０によって、前記映像信号入力装置２０を通して入力される正規映像の一部に、前記記憶装置５０とビデオ・グラフィック・アダプタ６０を経由して入力される文字および／またはイメージ広告が混合される。
【００２８】
この場合、選択された特定の映像に混合された広告の移動方向は、全体画面のＸ−Ｙ座標系に対して、左側上端から右側上端へ移動する方向と、右側上端から左側上端へ移動する方向と、右側上端から右側下端へ移動する方向と、右側下端から左側上端へ移動する方向と、右側下端から左側下端へ移動する方向と、左側下端から右側下端へ移動する方向と、左側下端から右側上端へ移動する方向、及び右側上端から左側下端へ移動する方向の中から選択的に指定される。
【００２９】
さらに、移動方向を指定された文字および／またはイメージ広告の移動制限座標は、前記文字および／またはイメージ広告の大きさに応じて指定される前記初期表示座標および移動間隔に応じて、全体画面のＸ−Ｙ座標系のＸまたはＹの値で指定される。
【００３０】
上記のように、正規映像の一部として文字および／またはイメージ広告を混合した後、広告混合映像出力装置９０は、前記文字および／またはイメージ広告が一部に混合された正規映像を、管理者用出力映像モニター１００に表示し、管理者が映像出力状態を確認できるようにする。さらに、広告混合映像出力装置９０は、映像送信器１０２を通して有線／無線方法で、広告を混合した正規映像を送信し、ＴＶモニター（図示せず）と移動通信端末機の液晶表示板（図示せず）の両方に、前記広告を混合した正規映像を表示可能とし、ＴＶ視聴者と移動通信端末機ユーザーに、正規映像とともに広告をリアルタイムで提供する。
【００３１】
さらに、広告混合映像出力装置９０は、広告を混合した正規映像をビデオ録画器１０１にも送信し、配給用の映像蓄積媒体に、前記広告を混合した正規映像を録画することにより、ステップＳ４０で、ユーザーが該配布用の映像蓄積媒体に記録された映像を再生する際に、正規映像に混合された文字および／またはイメージ広告を、ユーザーのＴＶモニター（図示せず）に表示する。
【００３２】
ステップＳ４０では、正規映像に混合した広告を、実際に表示する過程をより詳しく述べる。
【００３３】
ａ）まず、正規映像に混合された文字広告を、表示画面の左側上端から右側上端へ移動させながら、正規映像とともに文字広告を表示する過程を、以下に述べる。
【００３４】
例えば、解像度７２０×４８０の表示画面上のＸ−Ｙ座標系に基き、初期表示座標が（７，７１）で、８×７２画素の大きさを有する文字広告「ＣＯＣＡ＿ＣＯＬＡ」の移動方向が、左側上端から右側上端へ移動する方向が選定され、移動間隔が＋８０列で指定される場合、文字広告「ＣＯＣＡ＿ＣＯＬＡ」の移動制限座標は、文字広告「ＣＯＣＡ＿ＣＯＬＡ」の全長が７２列であるため、全体の７２０列から７２列を減算した値、つまり、Ｘ≦６４８で指定される。
【００３５】
したがって、ステップＳ４１で、文字広告「ＣＯＣＡ＿ＣＯＬＡ」を、正規映像の左側上端の初期表示座標（７，７１）に表示した後、ステップＳ４３で、ＣＰＵ３０によって予め設定された一時停止時間中に、該文字広告を一時停止させる。ステップＳ４５の一時停止時間が経過すると、ステップＳ４７において、正規映像が表示される画面の左側上端から右側上端へ、８０列の間隔で、文字広告が移動する。
【００３６】
文字広告「ＣＯＣＡ＿ＣＯＬＡ」の移動は、文字「ＣＯＣＡ＿ＣＯＬＡ」の開始位置がＸ≦６４８の移動制限座標に到達する時まで、繰り返し実行される。そして、もし、文字広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００３７】
ｂ）正規映像に混合された文字広告を、表示画面の右側上端から左側上端へ移動させながら、正規映像とともに文字広告を表示する過程を、以下に述べる。
【００３８】
例えば、初期表示座標が（７，６４８）で、８×７２画素の大きさを有する文字広告「ＣＯＣＡ＿ＣＯＬＡ」の移動方向が、右側上端から左側上端へ移動する方向が選定され、移動間隔が−８０列で指定される場合、文字広告「ＣＯＣＡ＿ＣＯＬＡ」の移動制限座標は、Ｘ≦０で指定される。
【００３９】
したがって、ステップＳ４１で、文字広告「ＣＯＣＡ＿ＣＯＬＡ」を、正規映像の右側上端の初期表示座標（７，６４８）に表示した後、ステップＳ４３で、ＣＰＵ３０によって予め設定された一時停止時間中に、該文字広告を一時停止させる。ステップＳ４５の一時停止時間が経過すると、ステップＳ４７において、正規映像が表示される画面の右側上端から左側上端へ、−８０列の間隔で、文字広告が移動する。
【００４０】
文字広告「ＣＯＣＡ＿ＣＯＬＡ」の移動は、文字「ＣＯＣＡ＿ＣＯＬＡ」の開始位置がＸ≦０の移動制限座標に到達する時まで、繰り返し実行される。そして、もし、文字広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００４１】
ｃ）正規映像に混合された文字広告を、表示画面の右側上端から右側下端へ移動させながら、正規映像とともに文字広告を表示する過程を、以下に述べる。
【００４２】
例えば、初期表示座標が（７，６４８）で、８×７２画素の大きさを有する文字広告「ＣＯＣＡ＿ＣＯＬＡ」の移動方向が、右側上端から右側下端へ移動する方向が選定され、移動間隔が＋２０行で指定される場合、文字広告「ＣＯＣＡ＿ＣＯＬＡ」の移動制限座標は、文字広告「ＣＯＣＡ＿ＣＯＬＡ」の全体の高さが８行であるため、全体の４８０行から８行を減算した値、つまり、Ｙ≦４７２で指定される。
【００４３】
したがって、ステップＳ４１で、文字広告「ＣＯＣＡ＿ＣＯＬＡ」を、正規映像の右側上端の初期表示座標（７，６４８）に表示した後、ステップＳ４３で、ＣＰＵ３０によって予め設定された一時停止時間中に、該文字広告を一時停止させる。ステップＳ４５の一時停止時間が経過すると、ステップＳ４７において、正規映像が表示される画面の右側上端から右側下端へ、＋２０行の間隔で、文字広告が移動する。
【００４４】
文字広告「ＣＯＣＡ＿ＣＯＬＡ」の移動は、文字「ＣＯＣＡ＿ＣＯＬＡ」の開始位置がＹ≦４７２の移動制限座標に到達する時まで、繰り返し実行される。そして、もし、文字広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００４５】
ｄ）正規映像に混合された文字広告を、表示画面の右側下端から右側上端へ移動させながら、正規映像とともに文字広告を表示する過程を、以下に述べる。
【００４６】
例えば、初期表示座標が（４７２，６４８）で、８×７２画素の大きさを有する文字広告「ＣＯＣＡ＿ＣＯＬＡ」の移動方向が、右側下端から右側上端へ移動する方向が選定され、移動間隔が−２０行で指定される場合、文字広告「ＣＯＣＡ＿ＣＯＬＡ」の移動制限座標は、Ｙ≦０で指定される。
【００４７】
したがって、ステップＳ４１で、文字広告「ＣＯＣＡ＿ＣＯＬＡ」を、正規映像の右側下端の初期表示座標（４７２，６４８）に表示した後、ステップＳ４３で、ＣＰＵ３０によって予め設定された一時停止時間中に、該文字広告を一時停止させる。ステップＳ４５の一時停止時間が経過すると、ステップＳ４７において、正規映像が表示される画面の右側下端から右側上端へ、−２０行の間隔で、文字広告が移動する。
【００４８】
文字広告「ＣＯＣＡ＿ＣＯＬＡ」の移動は、文字「ＣＯＣＡ＿ＣＯＬＡ」の開始位置がＹ≦０の移動制限座標に到達する時まで、繰り返し実行される。そして、もし、文字広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００４９】
ｅ）正規映像に混合されたイメージ広告を、表示画面の左側上端から右側上端へ移動させながら、正規映像とともにイメージ広告を表示する過程を、以下に述べる。
【００５０】
例えば、初期表示座標が（１，１，５，３０）で、５×３０画素の大きさを有するイメージ広告の移動方向が、左側上端から右側上端へ移動する方向が選定され、移動間隔が＋４０列で指定される場合、イメージ広告の移動制限座標は、イメージ広告の長さが３０列であり、イメージ広告が２列目から表示されるため、全体の７２０列から３１列を減算した値、つまり、Ｘ≦６８９で指定される。
【００５１】
したがって、ステップＳ４１で、イメージ広告を、正規映像の左側上端の初期表示座標（１，１，５，３０）に表示した後、ステップＳ４３で、ＣＰＵ３０によって予め設定された一時停止時間中に、該イメージ広告を一時停止させる。ステップＳ４５の一時停止時間が経過すると、ステップＳ４７において、正規映像が表示される画面の左側上端から右側上端へ、＋４０列の間隔で、イメージ広告が移動する。
【００５２】
イメージ広告の移動は、該イメージ広告の開始位置がＸ≦６８９の移動制限座標に到達する時まで、繰り返し実行される。そして、もし、イメージ広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００５３】
ｆ）正規映像に混合されたイメージ広告を、表示画面の右側上端から左側上端へ移動させながら、正規映像とともにイメージ広告を表示する過程を、以下に述べる。
【００５４】
例えば、初期表示座標が（１，６８９，５，７１９）で、５×３０画素の大きさを有するイメージ広告の移動方向が、右側上端から左側上端へ移動する方向が選定され、移動間隔が−４０列で指定される場合、イメージ広告の移動制限座標は、Ｘ≦０で指定される。
【００５５】
したがって、ステップＳ４１で、イメージ広告を、正規映像の右側上端の初期表示座標（１，６８９，５，７１９）に表示した後、ステップＳ４３で、ＣＰＵ３０によって予め設定された一時停止時間中に、該イメージ広告を一時停止させる。ステップＳ４５の一時停止時間が経過すると、ステップＳ４７において、正規映像が表示される画面の右側上端から左側上端へ、−４０列の間隔で、イメージ広告が移動する。
【００５６】
イメージ広告の移動は、該イメージ広告の開始位置がＸ≦０の移動制限座標に到達する時まで、繰り返し実行される。そして、もし、イメージ広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００５７】
ｇ）正規映像に混合されたイメージ広告を、表示画面の右側上端から右側下端へ移動させながら、正規映像とともにイメージ広告を表示する過程を、以下に述べる。
【００５８】
例えば、初期表示座標が（１，６８９，５，７１９）で、５×３０画素の大きさを有するイメージ広告の移動方向が、右側上端から右側下端へ移動する方向が選定され、移動間隔が＋１０行で指定される場合、イメージ広告の移動制限座標は、イメージ広告の高さが５行であり、イメージ広告が２行目から表示されるため、全体の４８０行から６行を減算した値、つまり、Ｙ≦４７４で指定される。
【００５９】
したがって、ステップＳ４１で、イメージ広告を、正規映像の右側上端の初期表示座標（１，６８９，５，７１９）に表示した後、ステップＳ４３で、ＣＰＵ３０によって予め設定された一時停止時間中に、該イメージ広告を一時停止させる。ステップＳ４５の一時停止時間が経過すると、ステップＳ４７において、正規映像が表示される画面の右側上端から右側下端へ、＋１０行の間隔で、イメージ広告が移動する。
【００６０】
イメージ広告の移動は、該イメージ広告の開始位置がＹ≦４７４の移動制限座標に到達する時まで、繰り返し実行される。そして、もし、イメージ広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００６１】
ｈ）正規映像に混合されたイメージ広告を、表示画面の右側下端から右側上端へ移動させながら、正規映像とともにイメージ広告を表示する過程を、以下に述べる。
【００６２】
例えば、初期表示座標が（４７４，６８９，４７９，７１９）で、５×３０画素の大きさを有するイメージ広告の移動方向が、右側下端から右側上端へ移動する方向が選定され、移動間隔が−１０行で指定される場合、イメージ広告の移動制限座標は、Ｙ≦０で指定される。
【００６３】
したがって、ステップＳ４１で、イメージ広告を、正規映像の右側下端の初期表示座標（４７４，６８９，４７９，７１９）に表示した後、ステップＳ４３で、ＣＰＵ３０によって予め設定された一時停止時間中に、該イメージ広告を一時停止させる。ステップＳ４５の一時停止時間が経過すると、ステップＳ４７において、正規映像が表示される画面の右側下端から右側上端へ、−１０行の間隔で、イメージ広告が移動する。
【００６４】
イメージ広告の移動は、該イメージ広告の開始位置がＹ≦０の移動制限座標に到達する時まで、繰り返し実行される。そして、もし、イメージ広告が移動制限座標に達すると、ステップＳ４９において、広告混合映像出力装置９０はステップＳ３１に戻り、ＣＰＵ３０の制御の下で広告を混合・表示する過程を繰り返し実行するため、広告を混合するステップＳ３０に広告を表示するか否かを決定する。
【００６５】
さらに、本発明では、前記ａ）からｈ）の過程と同様の方法を用いることにより、文字および／またはイメージ広告を、表示画面の左側下端から右側下端へ、右側下端から左側下端へ、左側上端から左側下端へ、左側下端から左側上端へ移動させながら、正規映像に混合した文字および／またはイメージ広告を表示することができる。
【００６６】
さらに、本発明では、特定の正規映像に混合した広告の移動方向を実際に選定する方法により、正規映像に混合した広告を表示画面の左側上端から右側上端、右側下端、左側下端、そして左側上端の順に、時計回りに移動させながら、正規映像に混合された文字および／またはイメージ広告を表示することもできる。しかも、本発明では、移動方向の選定方法により、正規映像に混合した広告を表示画面の左側上端から左側下端、右側下端、右側上端、そして左側上端の順に、反時計回りに移動させながら、正規映像に混合された文字および／またはイメージ広告を表示することもできる。
【００６７】
同様に、本発明では、特定の正規映像に混合した広告の移動方向を選定する方法により、正規映像に混合した文字および／またはイメージ広告を、表示画面の上端部あるいは下端部において、左右方向へ往復移動させるか、表示画面の左側部あるいは右側部において、上下方向へ往復移動させながら、正規映像に混合した文字および／またはイメージ広告を表示することもできる。
【００６８】
（産業上の利用可能性）
上述のように、本発明によれば、ＴＶ放送、移動通信端末機または映像蓄積媒体の映像に広告を混合して表示する広告方法は、文字および／またはイメージ広告が部分的に混合された映像を、出力映像モニター、ＴＶモニター及び移動通信端末機の液晶表示板に表示して、映像とともに、広告をユーザーに伝達することを可能とする。したがって、本発明は、インタ−ネットや無線データ通信網及び衛星通信網を利用する各種の有線／無線ＴＶ放送と、ＩＭＴ２０００のような個人用移動通信網、及び映画フィルム、ビデオテープ、ＣＤ、ＤＶＤ、ＶＯＤのような配給用の映像蓄積媒体を利用する一般ユーザーに対して、正規映像とともに多様な商業的広告を連続的に提供できる優れた効果がある。
【００６９】
上述のように、本発明の好ましい実施例を説明したが、本発明は、前記実施例に限定されずに、特許請求範囲で請求する本発明の要旨を逸脱することなく、当該発明の属する分野で通常の知識をもつ者であれば、何人も多様な変更実施が可能な範囲を含むものである。
【図面の簡単な説明】
【図１】本発明による広告方法を実現するためのシステムを示す構成図
【図２】本発明の広告方法を示すフローチャート
【図３】図２の広告生成方法を示すフローチャート
【図４】図２の広告混合方法を示すフローチャート
【図５】図２の広告表示方法を示すフローチャート
【図１】
2004507173.tif 000003
【図２】
2004507173.tif 000004
【図３】
2004507173.tif 000005
【図４】
2004507173.tif 000006
【図５】
2004507173.tif 000007
【国際公開パンフレット】
2004507173.tif 000008
2004507173.tif 000009
2004507173.tif 000010
2004507173.tif 000011
2004507173.tif 000012
2004507173.tif 000013
2004507173.tif 000014
2004507173.tif 000015
2004507173.tif 000016
2004507173.tif 000017
2004507173.tif 000018
2004507173.tif 000019
2004507173.tif 000020
2004507173.tif 000021
2004507173.tif 000022
2004507173.tif 000023
2004507173.tif 000024
2004507173.tif 000025
2004507173.tif 000026
2004507173.tif 000027
2004507173.tif 000028
2004507173.tif 000029
2004507173.tif 000030
2004507173.tif 000031
2004507173.tif 000032
2004507173.tif 000033
2004507173.tif 000034
【国際調査報告】
2004507173.tif 000035